(57)【要約】【課題】  一対の弾性係止片の係止爪の高さ位置を低く設定することができるとともに、スタッドボルトから容易に取り外すことができるスタッドボルト用留め具を提供する。【解決手段】  係止筒２０の相対する第１対向壁部２３の内壁面には、スタッドボルト２の根元側に対応する開口部近傍から先端部中心側に向かって傾斜状に延びる一対の弾性係止片２４が形成される。一対の弾性係止片２４には、スタッドボルト２に係合する係止爪２５が形成される。一対の弾性係止片２４の先端には、スタッドボルト２に係止爪２５が係合した状態において同スタッドボルト２の外周面との間に工具の先端部Ｐが差し込み可能な隙間を隔てる工具用突出縁２６が延出されている。【選択図】        図１
2005337474.tif 000002
【特許請求の範囲】
【請求項１】
スタッドボルトに挿入されて取り付けられる係止筒を備えたスタッドボルト用留め具であって、
前記係止筒の相対する第１対向壁部の内壁面には、前記スタッドボルトの根元側に対応する開口部近傍から先端部中心側に向かって傾斜状に延びる一対の弾性係止片が形成され、
前記一対の弾性係止片には、前記スタッドボルトに係合する係止爪が形成され、
前記一対の弾性係止片の先端には、前記スタッドボルトに前記係止爪が係合した状態において同スタッドボルトの外周面との間に工具の先端部が差し込み可能な隙間を隔てる工具用突出縁が延出されていることを特徴とするスタッドボルト用留め具。
【請求項２】
スタッドボルトに挿入されて取り付けられる係止筒を備えたスタッドボルト用留め具であって、
前記係止筒の相対する第１対向壁部の内壁面には、前記スタッドボルトの根元側に対応する開口部近傍から先端部中心側に向かって傾斜状に延びる一対の弾性係止片が形成され、
前記一対の弾性係止片には、前記スタッドボルトに係合する係止爪が形成され、
前記係止筒の他方で相対する第２対向壁部のうち、片側の壁部には、前記スタッドボルトに対し、その横方向から前記係止爪の係合が外されて脱出可能な開口が形成されていることを特徴とするスタッドボルト用留め具。
【請求項３】
請求項１又は２に記載のスタッドボルト用留め具であって、
第１対向壁部は、一対の弾性係止片の弾性的な拡開を、少なくともスタッドボルトに対する係止爪の係合が外れる状態まで許容する高さ寸法に設定されていることを特徴とするスタッドボルト用留め具。
【発明の詳細な説明】
【技術分野】
【０００１】
この発明は、スタッドボルトに挿入されて取り付けられる係止筒を備えたスタッドボルト用留め具に関する。
【背景技術】
【０００２】
係止筒を備えたスタッドボルト用留め具においては、例えば、図９と図１０に示すように、係止筒１２０の相対する第１対向壁部１２３の内壁面の所定高さ位置からスタッドボルト２の先端部中心側に向かって傾斜状に延びる一対の弾性係止片１２４が形成され、これら弾性係止片１２４の先端部にスタッドボルト２に係合する係止爪１２５が形成されてたものがある。
このような留め具１１０においては、スタッドボルト２から留め具１１０を取り外す場合、第１対向壁部１２３の内壁面と、一対の弾性係止片１２４との間の隙間に対し、ラジオペンチ等の工具の先端部Ｐを差し込み、この状態で第１対向壁部１２３を拡開方向に撓ませることで、スタッドボルト２に対する一対の弾性係止片１２４の係止爪１２５の係合を外して取り外さなければならず、その作業が厄介であった。
このため、第１対向壁部１２３において、スタッドボルト２の先端側に位置する第１対向壁部１２３の先端から根元部近傍に向けかつ弾性係止片１２４の幅寸法に対応する間隔を隔てるスリット状の切込み部１２３ａを図１０に示すように形成し、これによって、第１対向壁部１２３を拡開方向に撓ませ易く構成することが同一出願人によって提案されている。
また、従来、係止筒の相対する第１対向壁部の内壁面の略中間高さ位置に、スタッドボルトに係合可能な係止爪を先端部に有する一対の弾性係止片が形成されたものが知られている（例えば、特許文献１参照）。
【特許文献１】特願平１１−１７３３２０号公報
【発明の開示】
【発明が解決しようとする課題】
【０００３】
ところで、第１対向壁部１２３の先端側を拡開方向に撓ませることで、スタッドボルト２に対する一対の弾性係止片１２４の係止爪１２５の係合を外すように構造のものにおいては、スタッドボルト２に対する一対の弾性係止片１２４の係止爪１２５の高さが制限されるため、高さが低いスタッドボルト２に対しては使用不能となる。
すなわち、仮に、スタッドボルト２の根元側に対応する第１対向壁部１２３の開口部近傍から先端部中心側に向かって一対の弾性係止片１２４を延出すると、スタッドボルト２に対する一対の弾性係止片１２４の係止爪１２５の高さ位置を低くすることができる。
しかしながら、スタッドボルト２に対する一対の弾性係止片１２４の係止爪１２５の係合が外れる状態までの第１対向壁部１２３の撓み量が過大となる。
このため、第１対向壁部１２３にスリット状の切込み部１２３ａを形成した場合においても、スタッドボルト２に対する一対の弾性係止片１２４の係止爪１２５の係合を外して取り外すことが困難となる。
【０００４】
この発明の目的は、前記問題点に鑑み、一対の弾性係止片の係止爪の高さ位置を低く設定することができるとともに、スタッドボルトから容易に取り外すことができるスタッドボルト用留め具を提供することである。
【課題を解決するための手段】
【０００５】
前記目的を達成するために、この発明の請求項１に係るスタッドボルト用留め具は、スタッドボルトに挿入されて取り付けられる係止筒を備えたスタッドボルト用留め具であって、
前記係止筒の相対する第１対向壁部の内壁面には、前記スタッドボルトの根元側に対応する開口部近傍から先端部中心側に向かって傾斜状に延びる一対の弾性係止片が形成され、
前記一対の弾性係止片には、前記スタッドボルトに係合する係止爪が形成され、
前記一対の弾性係止片の先端には、前記スタッドボルトに前記係止爪が係合した状態において同スタッドボルトの外周面との間に工具の先端部が差し込み可能な隙間を隔てる工具用突出縁が延出されていることを特徴とする。
【０００６】
前記構成において、係止筒の相対する第１対向壁部に形成される一対の弾性係止片がスタッドボルトの根元側に対応する開口部近傍から先端部中心側に向かって傾斜状に形成されることによって、第１対向壁部の中間高さ位置から延出されるものと比べて一対の弾性係止片の係止爪の高さを低く設定することができる。
そして、一対の弾性係止片の係止爪の高さを低く設定した分だけ、高さが低いスタッドボルトに対しても使用可能となる。
また、スタッドボルトから留め具を取り外す場合、一対の弾性係止片の先端の工具用突出縁とスタッドボルトの外周面との間の隙間に対し工具（例えばラジオペンチ）の先端部を差し込んで一対の弾性係止片を拡開させることによってスタッドボルトに対し一対の弾性係止片の係止爪の係合を外すことができる。これによって、スタッドボルトから留め具を容易に取り外すことができる。
【０００７】
この発明の請求項２に係るスタッドボルト用留め具は、スタッドボルトに挿入されて取り付けられる係止筒を備えたスタッドボルト用留め具であって、
前記係止筒の相対する第１対向壁部の内壁面には、前記スタッドボルトの根元側に対応する開口部近傍から先端部中心側に向かって傾斜状に延びる一対の弾性係止片が形成され、
前記一対の弾性係止片には、前記スタッドボルトに係合する係止爪が形成され、
前記係止筒の他方で相対する第２対向壁部のうち、片側の壁部には、前記スタッドボルトに対し、その横方向から前記係止爪の係合が外されて脱出可能な開口が形成されていることを特徴とする。
【０００８】
前記構成において、係止筒の相対する第１対向壁部に形成される一対の弾性係止片がスタッドボルトの根元側に対応する開口部近傍から先端部中心側に向かって傾斜状に形成されることによって、第１対向壁部の中間高さ位置から延出されるものと比べて一対の弾性係止片の係止爪の高さを低く設定することができる。
そして、一対の弾性係止片の係止爪の高さを低く設定した分だけ、高さが低いスタッドボルトに対しても使用可能となる。
また、スタッドボルトから留め具を取り外す場合、係止筒の他方で相対する第２対向壁部のうち、開口を有する片側の壁部がスタッドボルトに接近しかつその開口において脱出する方向に留め具を移動する（引き抜く）。
すると、一対の弾性係止片の係止爪がスタッドボルトの外周面に接した状態でこれら一対の弾性係止片が弾性的に拡開されながらその係止爪がスタッドボルトの横方向から外されるとともに、片側の壁部の開口においてスタッドボルトから脱出し、これによってスタッドボルトから留め具が容易に取り外される。
また、前記とは逆の手順で操作することによってスタッドボルトに対し留め具を取り付けることができる。
【０００９】
また、一対の弾性係止片の係止爪がスタッドボルトの外周面に接した状態でこれら一対の弾性係止片が弾性的に拡開される構造上、例えば、請求項１における一対の弾性係止片の先端の工具用突出縁とスタッドボルトの外周面との間の隙間に対し工具の先端部を差し込んで一対の弾性係止片を拡開させ係止爪の係合を外す構造のものと比べ、一対の弾性係止片の拡開量を必要最小限に抑えることができる。
このため、一対の弾性係止片の繰り返しの弾性拡開が原因となる弾性劣化、損傷等を防止することができる。この結果、スタッドボルトに対する留め具の脱着が頻繁に行われたとしても、スタッドボルト用留め具としての機能が低下することを防止することができ、耐久性に優れたものとなる。
【００１０】
この発明の請求項３に係るスタッドボルト用留め具は、請求項１又は２に記載のスタッドボルト用留め具であって、
第１対向壁部は、一対の弾性係止片の弾性拡開を、少なくともスタッドボルトに対する係止爪の係合が外れる状態まで許容する高さ寸法に設定されていることを特徴とする。
したがって、スタッドボルトに対し留め具を取り外す際、一対の弾性係止片の弾性拡開が第１対向壁部によって阻止されることない。
このため、一対の弾性係止片の係止爪がスタッドボルトから外れる位置までこれら一対の弾性係止片を良好に弾性拡開させてスタッドボルトから取り外すことができ、取り外し作業性に優れる。
【発明を実施するための最良の形態】
【００１１】
次に、この発明を実施するための最良の形態を実施例に従って説明する。
【実施例１】
【００１２】
図１はこの発明の実施形１に係るスタッドボルト用留め具を示す斜視図である。図２は係止筒の部分を拡大して示す平面図である。図３は図２のＩＩＩ−ＩＩＩ線に基づく断面図である。図４は図２のＩＶ−ＩＶに基づく断面図である。図５はスタッドボルトに留め具を取り付けた状態を示す断面図である。図６はスタッドボルトから留め具を取り外す状態を示す説明図である。
【００１３】
図１に示すように、スタッドボルト用留め具（以下、単に留め具という）１０は、合成樹脂材の射出成形によって形成され、物品保持体１１と係止筒２０とを一体に備えている。
この実施例１において、物品保持体１１は一方向に長い帯板状に形成され、その一側面（図１に向かって下面）には、例えばワイヤハーネス（図示しない）がテープの巻き付けによって保持されるようになっている。
【００１４】
図１〜図５に示すように、係止筒２０は両端開口の筒状に形成され、その筒孔２１において、車体パネル１に溶接等によって固着されたスタッドボルト２に挿入されて取り付けられるようになっている。
図１〜図３に示すように、係止筒２０の周壁において、一方で相対する第１対向壁部２３の内壁面には、スタッドボルト２の根元側に対応する開口部近傍から先端部中心側に向かって傾斜状に延びる一対の弾性係止片２４が形成されている。
そして、一対の弾性係止片２４の先端部寄り部分には、スタッドボルト２の谷径寸法よりも適宜に小さい間隔を隔てて対向しかつスタッドボルト２の谷部に弾性的に係合する係止爪２５が形成されている。
図５と図６に示すように、一対の弾性係止片２４の先端には、スタッドボルト２に係止爪２５が係合した状態において同スタッドボルト２の外周面との間に工具（ラジオペンチ）の先端部４０が差し込み可能な隙間を隔てる工具用突出縁２６が延出されている。
【００１５】
図６に示すように、第１対向壁部２３は、一対の弾性係止片２４の弾性拡開を、少なくともスタッドボルト２に対する係止爪２５の係合が外れる状態まで許容する高さ寸法に設定されている。
【００１６】
また、この実施例１において、図１と図２に示すように、係止筒２０の周壁において、他方で相対する第２対向壁部２７の内壁面の略中央部には、スタッドボルト２の軸方向に延びかつスタッドボルト２の外周面に接近あるいは当接して留め具１０のガタツキを防止するガタツキ防止用凸部２８が突設されている。
【００１７】
この実施例１に係る留め具１０は上述したように構成される。
したがって、スタッドボルト２に留め具１０を取り付ける場合、スタッドボルト２に留め具１０の係止筒２０が、その筒孔２１において挿入されることで、図５に示すように、係止筒２０の一対の弾性係止片２４の係止爪２５がスタッドボルト２の谷部に弾性的に係合し、その係合力によってスタッドボルト２に留め具１０が取り付けられる。
また、スタッドボルト２から留め具１０を取り外す場合、図６に示すように、一対の弾性係止片２４の先端の工具用突出縁２６とスタッドボルト２の外周面との間の隙間に対し工具（例えばラジオペンチ）の先端部Ｐを差し込んで一対の弾性係止片２４を拡開させることによってスタッドボルト２に対し一対の弾性係止片２４の係止爪２５の係合が外される。この状態でスタッドボルト２から留め具１０が容易に取り外される。
【００１８】
特に、留め具１０の係止筒２０の相対する第１対向壁部２３に形成される一対の弾性係止片２４がスタッドボルト２の根元側に対応する開口部近傍から先端部中心側に向かって傾斜状に形成される。これによって、第１対向壁部２３の中間高さ位置から延出されるものと比べて一対の弾性係止片２４の係止爪２５の高さ寸法Ｈ１を低く設定することができる（図３参照）。
そして、一対の弾性係止片２４の係止爪２５の高さ寸法Ｈ１を低く設定した分だけ、高さが低いスタッドボルト２に対しても使用可能となる。
【００１９】
また、この実施例１において、係止筒２０の第１対向壁部２３は、一対の弾性係止片２４の弾性拡開を、少なくともスタッドボルト２に対する係止爪２５の係合が外れる状態まで許容する高さ寸法Ｈ２に設定されている（図３参照）。
したがって、スタッドボルト２に対し留め具１０を取り外す際、一対の弾性係止片２４の弾性拡開が第１対向壁部２３によって阻止されることない。
このため、一対の弾性係止片２４の係止爪２５がスタッドボルト２から外れる位置までこれら一対の弾性係止片２４を良好に弾性拡開させてスタッドボルト２から取り外すことができ、取り外し作業性に優れる。
【実施例２】
【００２０】
次に、この発明の実施例２に係る留め具を図７と図８にしたがって説明する。
図７はこの発明の実施形１に係るスタッドボルト用留め具の係止筒の部分を拡大して示す斜視図である。図８は係止筒の部分を拡大して示す平面図である。
図７と図８に示すように、この実施例２に係る留め具１０は、係止筒２０の相対する第１対向壁部２３の内壁面には、前記実施例１と同様にしてスタッドボルト２の根元側に対応する開口部近傍から先端部中心側に向かって傾斜状に延びる一対の弾性係止片２４が形成されている。そして、これら一対の弾性係止片２４には、スタッドボルト２に係合する係止爪２５が形成されている。
【００２１】
特に、この実施例２に係る留め具１０においては、係止筒２０の他方で相対する第２対向壁部２７のうち、片側の壁部２７ａに、スタッドボルト２の横方向から係止爪２５の係合が外されて脱出可能な開口３０が形成されている。
この実施例２のその他の構成は実施例１と同様にして構成されるため、同一構成部分に対し同一符号を付記してその説明は省略する。
なお、この実施例２においては、一対の弾性係止片２４の先端に、工具用突出縁２６を形成してもよく、また工具用突出縁２６のない構造であっても実施可能である。
【００２２】
したがって、この実施例２に係る留め具１０においても、前記実施例１と同様にして一対の弾性係止片２４の係止爪２５の高さ寸法を低く設定することができ、一対の弾性係止片２４の係止爪２５の高さを低く設定した分だけ、高さが低いスタッドボルト２に対しても使用可能となる。
【００２３】
特に、この実施例２においては、スタッドボルト２から留め具１０を取り外す場合、係止筒２０の他方で相対する第２対向壁部２７のうち、開口３０を有する片側の壁部２７ａがスタッドボルト２に接近しかつその開口３０において脱出する方向に留め具１０を移動する（引き抜く）。
すると、一対の弾性係止片２４の係止爪２５がスタッドボルト２の外周面に接した状態でこれら一対の弾性係止片２４が弾性的に拡開されながらその係止爪２５がスタッドボルト２の横方向から外される。そして、片側の壁部２７ａの開口３０においてスタッドボルト２から脱出し、これによってスタッドボルト２から留め具１０が容易に取り外される。
また、前記とは逆の手順で操作することによってスタッドボルト２に対し留め具を取り付けることができる。
【００２４】
また、この実施例２においては、一対の弾性係止片２４の係止爪２５がスタッドボルト２の外周面に接した状態でこれら一対の弾性係止片２４が弾性的に拡開される構造上、例えば、前記実施例１における一対の弾性係止片２４の先端の工具用突出縁２６とスタッドボルト２の外周面との間の隙間に対し工具の先端部Ｐを差し込んで一対の弾性係止片２４を拡開させ係止爪２５の係合を外す構造のものと比べ、一対の弾性係止片２４の拡開量を必要最小限に抑えることができる。
このため、一対の弾性係止片２４の繰り返しの弾性拡開が原因となる弾性劣化、損傷等を防止することができる。この結果、スタッドボルト２に対する留め具の脱着が頻繁に行われたとしても、留め具１０としての機能が低下することを防止することができる。
【図面の簡単な説明】
【００２５】
【図１】この発明の実施形１に係るスタッドボルト用留め具を示す斜視図である。
【図２】同じく係止筒の部分を拡大して示す平面図である。
【図３】同じく図２のＩＩＩ−ＩＩＩ線に基づく断面図である。
【図４】同じく図２のＩＶ−ＩＶに基づく断面図である。
【図５】同じくスタッドボルトに留め具を取り付けた状態を示す断面図である。
【図６】同じくスタッドボルトから留め具を取り外す状態を示す説明図である。
【図７】この発明の実施形１に係るスタッドボルト用留め具の係止筒の部分を拡大して示す斜視図である。
【図８】同じく係止筒の部分を拡大して示す平面図である。
【図９】先行技術のスタッドボルトから留め具を取り外す状態を示す説明図である。
【図１０】同じく図９のＸ−Ｘ線に基づく断面図である。
【符号の説明】
【００２６】
１  車体パネル
２  スタッドボルト
１０  留め具
２０  係止筒
２３  第１対向壁部
２４  弾性係止片
２５  係止爪
２６  工具用突出縁
２７  第２対向壁部
３０  開口
【図１】
2005337474.tif 000003
【図２】
2005337474.tif 000004
【図３】
2005337474.tif 000005
【図４】
2005337474.tif 000006
【図５】
2005337474.tif 000007
【図６】
2005337474.tif 000008
【図７】
2005337474.tif 000009
【図８】
2005337474.tif 000010
【図９】
2005337474.tif 000011
【図１０】
2005337474.tif 000012